(57)【特許請求の範囲】
【請求項１】
前面に開口を有し周囲を断熱壁にて構成する下陳列室及び該下陳列室の上方に位置する上陳列室を構成して成るショーケースにおいて、
前記上陳列室の前面開口を透視可能な扉にて開閉自在に閉塞し、該扉の上部を下部よりも前側とすることにより所定の角度で傾斜させると共に、該上陳列室内には、前部より後部が高く傾斜する棚を架設したことを特徴とするショーケース。
【請求項２】
前記断熱壁の側面を構成する側板を備え、該側板は前記扉よりも前方に張り出すと共に、当該側板の内面を鏡面としたことを特徴とする請求項１のショーケース。
【請求項３】
前記上陳列室の天井を鏡面としたことを特徴とする請求項１又は請求項２のショーケース。
【請求項４】
前記棚下後部に前記上陳列室内を冷却するための冷却機器を配設したことを特徴とする請求項１、請求項２又は請求項３のショーケース。
【発明の詳細な説明】
【０００１】
【発明の属する技術分野】
本発明は、それぞれ前面に開口を有し周囲を断熱壁にて構成する下陳列室及び該下陳列室の上方に位置する上陳列室を構成して成るショーケースに関するものである。
【０００２】
【従来の技術】
この種の従来のショーケースは、前面に開口を有し周囲を断熱壁にて構成する陳列室が構成されており、この陳列室は、断熱仕切板などによって、上陳列室及び下陳列室に区画されている。そして、それぞれの陳列室の前面は、例えばガラス扉などの透明な扉によって開閉自在に閉塞されている。また、それぞれの陳列室内には、商品を陳列するための棚が複数段形成されており、係る棚上に商品を陳列することによって顧客に商品のアピールを行っていた。
【発明が解決しようとする課題】
【０００３】
しかしながら、一般的に上陳列室は、顧客の目線よりも高い位置に形成されており、係る陳列室の棚上に陳列される商品は、顧客から著しく見難いものとなっていた。特に、子供や女性などの背の低い顧客にとっては、商品の全体が視界に入らないため、上陳列室内に陳列される商品は、購買の対象とされず、上陳列室内に陳列される商品の売上げ等にも悪影響を及ぼすことも考えられる。そのため、市場では、上陳列室に陳列される商品のディスプレイ効果を向上させることが要望されている。
【０００４】
そこで、本発明は従来の技術的課題を解決するために成されたものであり、上陳列室に陳列される商品のディスプレイ効果を向上させることができるショーケースを提供することを目的とする。
【０００５】
【課題を解決するための手段】
本発明のショーケースは、それぞれ前面に開口を有し周囲を断熱壁にて構成する下陳列室及び該下陳列室の上方に位置する上陳列室を構成して成るものであって、上陳列室の前面開口を透視可能な扉にて開閉自在に閉塞し、該扉の上部を下部よりも前側とすることにより所定の角度で傾斜させると共に、該上陳列室内には、前部より後部が高く傾斜する棚を架設したことを特徴とする。
【０００６】
本発明によれば、それぞれ前面に開口を有し周囲を断熱壁にて構成する下陳列室及び該下陳列室の上方に位置する上陳列室を構成して成るショーケースにおいて、上陳列室の前面開口を透視可能な扉にて開閉自在に閉塞し、該扉の上部を下部よりも前側とすることにより所定の角度で傾斜させると共に、該上陳列室内には、前部より後部が高く傾斜する棚を架設したので、上陳列室に陳列される商品をショーケースの前部下方、即ち、顧客方向に向けて陳列することができるようになる。
【０００７】
これにより、ショーケースの前面から上陳列室に載置された商品を容易に把握することができるようになると共に、商品の所謂フェイス面を前部下方に向けてアピールすることによりディスプレイ効果を向上させることができるようになり、顧客の購買意欲を増加させることができるようになる。
【０００８】
また、上陳列室の前面開口に設けられた扉は扉の上部を下部よりも前側とすることにより所定の角度で傾斜させて取り付けられているため、該扉より効率よく商品を収納することができるようになる。
【０００９】
請求項２の発明のショーケースは、請求項１の発明に加えて、断熱壁の側面を構成する側板を備え、該側板は扉よりも前方に張り出すと共に、当該側板の内面を鏡面としたことを特徴とする。
【００１０】
請求項２の発明によれば、請求項１の発明に加えて、断熱壁の側面を構成する側板を備え、該側板は扉よりも前方に張り出すと共に、当該側板の内面を鏡面としたので、係る鏡面に、上陳列室内に陳列される商品を映しだすことができるようになり、陳列室内を広く感じさせることができるようになる。また、これによって、ショーケース前面から上陳列室に載置される商品の量感を増大させることができ、より一層ディスプレイ効果を向上させることができるようになる。
【００１１】
請求項３の発明のショーケースは、請求項１又は請求項２の発明に加えて、上陳列室の天井を鏡面としたことを特徴とする。
【００１２】
請求項３の発明によれば、請求項１又は請求項２の発明に加えて、上陳列室の天井を鏡面としたので、棚上に陳列される商品を天井の鏡面に映し出すことができるようになり、これにより、陳列される商品の数を把握することができるようになる。
【００１３】
そのため、例えば、ショーケースの後面から商品の補充を行う際に、天面に設けられた鏡面に陳列される商品が映しだされるため、商品補充のタイミングを容易に把握することができるようになり、販売員の煩雑な商品管理を容易に行うことができるようになる。
【００１４】
請求項４の発明のショーケースは、請求項１、請求項２又は請求項３の発明に加えて、棚下後部に上陳列室内を冷却するための冷却機器を配設したことを特徴とする。
【００１５】
請求項４の発明によれば、請求項１、請求項２又は請求項３の発明に加えて、棚下後部に上陳列室内を冷却するための冷却機器を配設したので、効率よく植え陳列室内を冷却することができるようになる。また、上陳列室内を冷却するための冷却機器は、棚下後部に形成されるデッドスペースに配設されているため、陳列室内のスペースを縮小することなく冷却機器の配設を行うことができるようになる。
【００１６】
【発明の実施の形態】
以下、図面に基づいて本発明の実施形態を詳述する。図１は本発明を適用したショーケース１の正面図、図２はショーケース１の縦断側面図を示している。ショーケース１は、駅の売店やコンビニエンスストアなどに設置される冷却／加温ショーケースであり、前面に開口を有する断熱箱体（断熱壁）２及び詳細は後述する側板２８、２８より本体が構成されている。この断熱箱体２は前面に開口する鋼板製の外箱３と、この外箱３内に間隔を存して組み込まれた前面に開口する鋼板若しくは硬質合成樹脂製の内箱４と、外箱３及び内箱４間に発泡充填された発泡ポリウレタンから成る断熱材５とから構成されている。
【００１７】
そして、内箱４内方の例えば中央よりやや上方には、断熱箱体２の前方から後方に渡って断熱仕切板１０が形成されており、係る断熱仕切板１０の上方には上陳列室６が形成され、断熱仕切板１０の下方には下陳列室１１が形成されている。この断熱仕切板１０の前端は、前記断熱箱体２の天井部を構成する天壁２Ａの前端よりも後部に位置しており、この天壁２Ａの前端は少許後部下方に向けて傾斜して形成されている。
【００１８】
そして、上陳列室６に対応する断熱箱体２の背面には、後面開口１２が形成されており、係る後面開口１２は、透視可能とされる引き戸式のガラス扉１３、１４によって開閉自在に閉塞されている。また、下陳列室１１に対応する断熱箱体２の背面には、後面開口１５が形成されており、係る後面開口１５は、同じく透視可能とされる引き戸式のガラス扉１６、１７によって開閉自在に閉塞されている。
【００１９】
また、上陳列室６に対応する断熱箱体２の前面には、天壁２Ａの前端及び断熱仕切板１０の前端によって囲繞される前面開口７が形成されており、係る前面開口７には、透視可能とされる引き戸式の上扉８、９によって開閉自在に閉塞されている。ここで、断熱仕切板１０の前端は、上述の如く断熱箱体２の天壁２Ａの前端よりも後部に位置しているため、係る上扉８、９は、前方上部から後方下部に向けて所定の角度で傾斜して前面開口７に設けられる。
【００２０】
これにより、上陳列室６内に陳列された商品を取り出す際に、上扉８、９の下部を持って開閉することができ、商品の取り出しを容易に行うことができるようになる。また、商品の収納を行う際においても、同じく上扉８、９の下部を持って開閉することができ、効率よく商品の収納を行うことができるようになる。
【００２１】
一方、下陳列室１１に対応する断熱箱体２の前面には、前面開口２５が形成されており、係る前面開口２５には、透視可能とされる引き戸式の下扉２６、２７によって開閉自在に閉塞されている。この下扉２６、２７は、前面２６Ａ、２７Ａと係る前面２６Ａ、２７Ａの上部から後方に延在する上面２６Ｂ、２７Ｂとにより形成されている。そして、この前面２６Ａ、２７Ａ上部と上面２６Ｂ、２７Ｂとは、所定曲率にて湾曲形状とされている。
【００２２】
これにより、下陳列室１１内は下扉２６、２７の上面２６Ｂ、２７Ｂより視認することができるようになり、商品の陳列性能を向上させることができるようになる。そのため、顧客は、下陳列室１１内に陳列された商品を見るために、腰を屈めるなど姿勢を変えるなどの煩わしい行動をとることなく、下陳列室１１内の商品を視認することができるようになる。
【００２３】
一方、上陳列室６内には、前部より後部が高く傾斜する棚２０が複数段架設されており、これらの棚２０の前端には、商品を保持するための商品保持部材１９が形成されている。また、この商品保持部材１９には、係る棚２０上に陳列される商品のプライス等を表示するための掲示部材が設けられているものとする。
【００２４】
これにより、上陳列室６に陳列される商品をショーケース１の前部下方、即ち、顧客方向に向けて陳列することができるようになる。また、ショーケース１の前面から上陳列室６に載置された商品を容易に把握することができるようになる。更に、商品の所謂フェイス面を前部下方に向けてアピールすることによりディスプレイ効果を向上させることができるようになり、顧客の購買意欲を増加させることができるようになる。
【００２５】
また、上陳列室６内に架設される最下段の棚２０の下方には、前記断熱仕切板１０上面との間に上陳列室６の冷却室２１が形成されている。この冷却室２１内には、別置きで設置される図示しない圧縮機及び凝縮器等と所謂冷凍サイクルを構成する冷却装置の冷却器２２が設置されている。そして、この冷却器２２の近傍には、この冷却器２２にて冷却された冷気を上陳列室６内に吐出するための送風機２３が設置されている。また、棚２０には、電気ヒータ４０が設置されている。
【００２６】
以上の構成により、上陳列室６内を低温として使用する際には、図示しないコントロールパネルを操作することにより、上陳列室６内の冷却を行う。これにより、別置きとされた圧縮機が運転されることにより冷却室２１に設置された冷却器２２が冷却され、係る冷却器２２によって、冷却室２１の空気が冷却される。また、前記送風機２３が運転されることにより、冷却器２２によって冷却された冷気は、上陳列室６内に吐出される。上陳列室６内に吐出された冷気は上陳列室６内を循環した後、最下段の棚２０の前端から冷却室２１内に帰還する。これによって、上陳列室６内は所定の温度に冷却される。
【００２７】
上記構成により、上陳列室６内を冷却するための冷却機器としての冷却器２２及び送風機２３は、棚２０下後部に形成されるデッドスペースに配設されているため、陳列室６内のスペースを縮小することなく冷却機器の配設を行うことができるようになる。
【００２８】
また、上陳列室６内を加温として使用する際には、コントロールパネルを操作することにより、前記電気ヒータ４０によって上陳列室６内の加温を行う。これにより、上陳列室６内は、所定の温度に加温される。
【００２９】
尚、上陳列室６と下陳列室１１とは、断熱仕切板１０によって区画されているため、両陳列室６、１１から生じる熱の移動は無いものとする。
【００３０】
他方、上陳列室６の前部、即ち上陳列室６内に位置する断熱箱体２の天壁２Ａの前部には上陳列室６内を照明するための照明装置として蛍光灯１８が設けられている。
【００３１】
断熱箱体２の天壁２Ａの上面には、図３に示す如く断熱箱体２の前端よりも所定寸法だけ前方に突出して形成されると共に、透光性材料にて構成される上部パネル５０が設けられている。この上部パネル５０の前端は、下方に向けて略直角に折曲することにより形成される正面部５０Ａと、この正面部５０Ａの下端を後方に向けて略直角に折曲することにより形成される下面部５０Ｂとにより構成されている。そして、この下面部５０Ｂの後端は、断熱箱体２の前端と少許隙間を形成すると共に、この下面部５０Ｂの後端から前記上扉８、９と平行となる向きで風向板５１が設けられている。
【００３２】
そして、この上部パネル５０の前部には、照明装置としての蛍光灯２４が設けられており、この蛍光灯２４の後部には、送風機５２が設けられている。また、送風機５２の上部に位置する上部パネル５０には、通気口５３が形成されている。
【００３３】
以上の構成により、蛍光灯２４が点灯されると共に、送風機５２が運転されると、通気口５３から吸い込まれた空気は、蛍光灯２４の熱によって加熱された後、前記風向板５１によって、上扉８、９に向けて暖気が吐出される。
【００３４】
これにより、上陳列室６内を冷却して使用する場合には、送風機５２の運転により上扉８、９への結露を未然に防止することができるようになる。また、送風機５２によって吐出された暖気は、上扉８、９を経た後、下扉２６、２７の上面２６Ｂ、２７Ｂに送風されるため、下扉上面２６Ｂ、２７Ｂへの結露を未然に回避することができるようになる。
【００３５】
また、上陳列室６内を加温して使用する場合には、送風機５２の運転により送風される空気を上扉８、９前面によって更に加熱され、係る暖気を下扉上面２６Ｂ、２７Ｂに送風することができ、より一層下扉２６Ｂ、２７Ｂ上面の結露解消に利用することができるようになる。
【００３６】
更に、前記側板２８、２８は、断熱箱体２の左右両側面を構成するものであり、係る側板２８、２８は、前記上扉８、９よりも前方に張り出して形成されている。
【００３７】
そのため、上部パネル５０内に設置された送風機５２が運転されることにより送風された暖気は、側板２８、２８により、外方に逃げにくくすることができるため、積極的に上扉８、９前面に誘導され、上扉８、９及びその下方に設けられる下扉２６、２７への結露防止効果を向上させることができるようになる。
【００３８】
そして、この側板２８、２８の内面には、全面、即ち、上扉８、９の前方に位置する側板２８、２８から上陳列室６、下陳列室１１内に渡って鏡部材２９が設けられている。尚、係る鏡部材２９は、上扉８、９の前方に位置する側板２８、２８のみ又は、上扉８、９の前方に位置する側板２８、２８及び上陳列室６内に設けられていてもよいものとする。
【００３９】
これにより、鏡部材２９に、上陳列室６内に陳列される商品を映しだすことができるようになり、陳列室内を広く感じさせることができるようになる。また、これによって、ショーケース１前面から上陳列室６に載置される商品の量感を増大させることができ、より一層ディスプレイ効果を向上させることができるようになる。
【００４０】
また、上陳列室６の天井面、即ち断熱箱体２の天壁２Ａの下面には、鏡部材３０が設けられている。これにより、棚２０上に陳列される商品を天井の鏡部材３０に映し出すことができるようになり、陳列される商品の数を容易に把握することができるようになる。
【００４１】
そのため、後面に設けられたガラス扉１３、１４により商品の補充を行う際に、断熱箱体２の天壁２Ａに設けられた鏡部材３０に棚２０上に陳列される商品を映し出すことができ、これにより、商品の補充を行うタイミングを容易に把握することができるようになり、販売員の煩雑な商品管理を容易に行うことができるようになる。
【００４２】
一方、下陳列室１１内には、例えば略中央に前方から後方に渡って、詳細は後述する仕切部材としての断熱仕切棚５４が設けられている。これにより、下陳列室１１には、断熱仕切棚５４より上方に上陳列部３１が形成され、断熱仕切棚５４より下方に下陳列部３２が形成される。上陳列部３１及び下陳列部３２内には、それぞれ棚３３が架設されている。本実施例では棚３３は上陳列部３１及び下陳列部３２にそれぞれ一段ずつ架設されているが、複数であってもよい。また、これらの棚３３及び断熱仕切棚５４の前端には、前記棚２０と同様に商品を保持するための商品保持部材３４が形成されており、係る棚３３上に陳列される商品のプライス等を表示するための掲示部材が設けられているものとする。
【００４３】
また、断熱仕切板１０の前端下部には、下陳列室１１の上陳列部３１内を照明するための照明装置としての蛍光灯３５が設置されている。この蛍光灯３５の前方及び上方には、断面略Ｌ字状の反射板３６が形成されている。
【００４４】
更にまた、下陳列室１１を上陳列部３１及び下陳列部３２に区画形成する断熱仕切棚５４の前端には、図４に示す如く透光性のシェード５５が取付部材５９によって取り付けられている。図４は、断熱仕切棚５４前端の拡大側面図である。尚、図１において、係るシェード５５は、省略されている。
【００４５】
係るシェード５５は、透光性のある板状部材であり、一端には、商品保持部材３４の前面と当接する当接面５５Ａが形成されており、この当接面５５Ａの上端には、斜め上前方に所定の角度で折曲された傾斜面５５Ｂが形成されている。そして、この傾斜面５５Ｂの上端には、前記商品保持部材３４の高さよりも低い位置に置いて、水平面５５Ｃが形成されている。また、このシェード５５の下面には、反射板５６が当接して取り付けられている。この反射板５６は、シェード５５の内面と合致するように、当接面５６Ａと、傾斜面５６Ｂと、水平面５６Ｃが形成されている。ここで傾斜面５６Ｂには、反射板５６の内方に取り付けられる蛍光灯５７の照明を上方に透過させるための開口部６０が形成されている。
【００４６】
更に、この反射板５６の角隅部下側には、照明装置としての蛍光灯５７を取り付けるための取付部材５８が設けられており、係る取付部材５８には蛍光灯５７が取り付けられている。
【００４７】
以上の構成により、照明装置としての蛍光灯５７が点灯されると、光は、反射板５６に形成された開口部６０及びシェード５５の傾斜面５６Ｂを透過して、下陳列室１１の上陳列部３１内を照明することができるようになる。また、蛍光灯５７の光は、反射板５６に反射することにより、下陳列部３２内をも照明することができるようになる。
【００４８】
これにより、一台の照明装置によって、上陳列部３１及び下陳列部３２内の両陳列部を照明することができるようになり、効果的に商品の陳列を行うことができるようになる。
【００４９】
一方、下陳列室１１の下陳列部３２の底部には、断熱箱体２の底部と所定の間隔を存してデックパン６１が設けられおり、このデックパン６１の下方には、断熱箱体２の底部との間に下陳列室１１の冷却室３７が形成されている。この冷却室３７内には、別置きで設置される図示しない圧縮機及び凝縮器等と所謂冷凍サイクルを構成する冷却装置の冷却器３８が設置されている。そして、この冷却器３８の近傍には、係る冷却器３８にて冷却された冷気を下陳列室１１内に吐出するための送風機３９が設置されている。
【００５０】
また、デックパン６１の一方の側端部には、下陳列室１１と連通する図示しない冷気吐出口が形成されていると共に、他方の側端部には、同じく下陳列室１１と連通する図示しない冷気吸込口が形成されている。そして、断熱仕切棚５４の両側端部には、上陳列部３１と下陳列部３２を連通させるための図示しない連通部がそれぞれ形成されており、この連通部には、それぞれ図示しないダンパーが設けられている。
【００５１】
これにより、係るダンパーの開閉切換を行うことにより、上陳列部３１と下陳列部３２を異なる温度に冷却することができるようになる。即ち、上陳列部３１内に例えばサンドイッチや米飯類などを陳列し、下陳列部３２内に飲料類などを陳列して使用する場合には、上陳列部３１内を比較的高い冷却温度とし、下陳列部３２内を比較的低い冷却温度とする必要がある。係る場合には、前記ダンパーを閉鎖し、図示しないコントロールパネルを操作することにより、上陳列部３１は消極的な冷却を行い、下陳列部３２は積極的な冷却を行う。
【００５２】
これにより、上陳列部３１への冷気の流入を抑え、下陳列部３２のみ積極的に冷却することができるようになり、上陳列部３１には、比較的温度の高い冷却環境を形成することができると共に、下陳列部３２には、上陳列部に比べて低い温度の冷却環境を形成することができる。
【００５３】
そのため、比較的高い冷却環境で冷却することが望ましいサンドイッチや米飯類などを上陳列部３１に陳列することができるようになると共に、比較的低い冷却環境で冷却することが望ましい飲料類などを下陳列部３２に陳列することができるようになる。これにより、一台のショーケース１に比較的高い冷却環境で冷却することが望ましいサンドイッチや米飯類と、比較的低い冷却環境で冷却することが望ましい飲料類を同時に陳列することができるようになり、特に、ショーケースの設置面積が限定される設置場所において好適なものとなる。
【００５４】
また、前記ダンパーを開放することにより、上陳列部３１及び下陳列部３２は同じ温度環境を形成することができるため、下陳列室１１内への多様な商品の陳列パターンに対応することができるようになる。
【００５５】
【発明の効果】
以上詳述した如く本発明によれば、それぞれ前面に開口を有し周囲を断熱壁にて構成する下陳列室及び該下陳列室の上方に位置する上陳列室を構成して成るショーケースにおいて、上陳列室の前面開口を透視可能な扉にて開閉自在に閉塞し、該扉の上部を下部よりも前側とすることにより所定の角度で傾斜させると共に、該上陳列室内には、前部より後部が高く傾斜する棚を架設したので、上陳列室に陳列される商品をショーケースの前部下方、即ち、顧客方向に向けて陳列することができるようになる。
【００５６】
これにより、ショーケースの前面から上陳列室に載置された商品を容易に把握することができるようになると共に、商品の所謂フェイス面を前部下方に向けてアピールすることによりディスプレイ効果を向上させることができるようになり、顧客の購買意欲を増加させることができるようになる。
【００５７】
また、上陳列室の前面開口に設けられた扉は扉の上部を下部よりも前側とすることにより所定の角度で傾斜させて取り付けられているため、該扉より効率よく商品を収納することができるようになる。
【００５８】
請求項２の発明によれば、請求項１の発明に加えて、断熱壁の側面を構成する側板を備え、該側板は扉よりも前方に張り出すと共に、当該側板の内面を鏡面としたので、係る鏡面に、上陳列室内に陳列される商品を映しだすことができるようになり、陳列室内を広く感じさせることができるようになる。また、これによって、ショーケース前面から上陳列室に載置される商品の量感を増大させることができ、より一層ディスプレイ効果を向上させることができるようになる。
【００５９】
請求項３の発明によれば、請求項１又は請求項２の発明に加えて、上陳列室の天井を鏡面としたので、棚上に陳列される商品を天井の鏡面に映し出すことができるようになり、これにより、陳列される商品の数を容易に把握することができるようになる。
【００６０】
そのため、例えば、ショーケースの後面から商品の補充を行う際に、天面に設けられた鏡面に陳列される商品が映しだされるため、商品補充のタイミングを容易に把握することができるようになり、販売員の煩雑な商品管理を容易に行うことができるようになる。
【００６１】
請求項４の発明によれば、請求項１、請求項２又は請求項３の発明に加えて、棚下後部に上陳列室内を冷却するための冷却機器を配設したので、効率よく植え陳列室内を冷却することができるようになる。また、上陳列室内を冷却するための冷却機器は、棚下後部に形成されるデッドスペースに配設されているため、陳列室内のスペースを縮小することなく冷却機器の配設を行うことができるようになる。
【図面の簡単な説明】
【図１】本発明のショーケースの正面図である。
【図２】本発明のショーケースの縦断側面図である。
【図３】本発明のショーケースの上部パネル内を示す縦断側面図である。
【図４】断熱仕切板前端の拡大縦断側面図である。
【符号の説明】
１  ショーケース
２  断熱箱体
６  上陳列室
７、２５  前面開口
８、９  上扉
１０  断熱仕切板
１１  下陳列室
１２、１５  後面開口
１３、１４、１６、１７  ガラス扉
１８、２４、３５、５７  蛍光灯
１９  商品保持部材
２０  棚
２１、３７  冷却室
２２、３８  冷却器
２３、３９、５２  送風機
２６、２７  下扉
２８  側板
２９、３０  鏡部材
３１  上陳列部
３２  下陳列部
３６、５６  反射板
４０  電気ヒータ
５０  上部パネル
５０Ａ  正面部
５０Ｂ  下面部
５１  風向板
５３  通気口
５４  断熱仕切棚
５５  シェード
５５Ａ  当接面
５５Ｂ  傾斜面
５５Ｃ  水平面
５６Ａ  当接面
５６Ｂ  傾斜面
５６Ｃ  水平面
５８、５９  取付部材
６０  開口部
【図１】
0003906018.tif 000002
【図２】
0003906018.tif 000003
【図３】
0003906018.tif 000004
【図４】
0003906018.tif 000005